(57)【要約】【課題】ユーザによるタッチパネルの清掃を容易にしつつ、ユーザによるタッチパネルの清掃中においても、タッチパネルの入力操作を可能とする。【解決手段】入力媒体により接触された接触位置を検出するタッチパネルと、タッチパネルが重ねられる表示面に表示情報を表示する表示部と、検出領域内に、複数の表示情報各々に対応付けて設定された複数の操作受付領域のうち、いずれかが入力媒体の接触を検出した場合、その操作受付領域に関連付けられた処理を実行する実行手段を有し、複数の操作受付領域と、対応する表示情報とが重なるように、表示情報を表示面に表示する入力装置であって、検出領域を、実行手段による処理を許諾する有効領域と、実行手段による処理の実行を抑制する無効領域と、に分割し、有効領域に対応する表示面に表示情報を表示し、無効領域に対応する表示面に無効領域を示す画像を表示させる。【選択図】図２
2011158970.tif 000002
【特許請求の範囲】
【請求項１】
入力媒体により検出領域内が接触されると、その接触位置を検出するタッチパネルと、
前記タッチパネルが重ねられる表示面に表示情報を表示する表示部と、
前記検出領域内に、前記表示面に表示される複数の表示情報各々に対応付けて、複数の操作受付領域を設定する設定手段と、
前記設定手段により設定された各操作受付領域のうち、いずれかが前記入力媒体の接触を検出した場合、その操作受付領域に関連付けられた処理を実行する実行手段と、を有し、
前記複数の操作受付領域と、当該複数の操作受付領域各々に対応する前記表示情報とが重なるように、前記表示情報を前記表示面に表示する入力装置であって、
前記入力媒体により接触された接触位置を記憶する記憶手段と、
前記検出領域を、前記実行手段による処理を許諾する有効領域と、前記実行手段による処理の実行を抑制する無効領域と、に分割する領域分割手段と、
前記領域分割手段により分割された前記有効領域に対応する前記表示面に前記表示情報を表示し、前記領域分割手段により分割された前記無効領域に対応する前記表示面に前記無効領域を示す画像を表示させる領域表示手段と、
前記有効領域内の前記操作受付領域が前記入力媒体により接触された場合、当該操作受付領域に関連付けられた処理を実行し、前記無効領域内の前記操作受付領域が前記入力媒体により接触された場合、当該操作受付領域に関連付けられた処理を実行しないように制御する制御手段と、
を備えることを特徴とする入力装置。
【請求項２】
前記無効領域内の前記操作受付領域に対応する表示情報を前記有効領域に対応する表示面に表示させる位置変更手段を備え、
前記設定手段は、前記位置変更手段により前記表示面に表示された表示情報に対応付けて、前記操作受付領域を設定することを特徴とする請求項１に記載の入力装置。
【請求項３】
前記検出領域は複数の分割領域に分割され、
前記記憶手段は、各分割領域における前記入力媒体の接触回数を記憶し、
前記領域分割手段は、前記記憶手段により記憶された接触回数が所定数以上の分割領域を前記無効領域とし、前記記憶手段により記憶された接触回数が前記所定数より小さい分割領域を前記有効領域として前記検出領域を分割し、
前記位置変更手段により前記有効領域に対応する表示面に表示させる対象となる表示情報が前記有効領域に対応する表示面で表示できるか否かを判断する表示判断手段と、
前記表示判断手段により表示できないと判断された場合、複数の前記無効領域のうち前記接触回数が少ない分割領域を、前記有効領域として変更する第１変更手段と、
前記領域分割手段により前記有効領域として分割された分割領域と、前記第１変更手段により前記有効領域として変更された分割領域と、に対応する前記表示面に前記表示情報を表示する表示制御手段と、
を備えることを特徴とする請求項２に記載の入力装置。
【請求項４】
前記領域分割手段により前記無効領域とされた分割領域が前記入力媒体により接触された後に前記入力媒体が前記無効領域から離れたか否かを判断する接触判断手段を備え、
前記接触判断手段により前記入力媒体が前記検出領域から離れたと判断された場合、前記入力媒体が前記無効領域に接触されてから離れるまでに前記入力媒体により接触された分割領域を前記有効領域に変更する第２変更手段と、
前記第２変更手段により前記有効領域に変更された分割領域に対応する表示面に表示されていた前記無効領域を示す画像を消去する表示変更手段と、
を備えることを特徴とする請求項３に記載の入力装置。
【請求項５】
前記第２変更手段により前記分割領域が前記有効領域に変更された場合、前記第１変更手段により前記有効領域に変更された分割領域を、前記無効領域に変更する第３変更手段と、
を備え、
前記表示変更手段は、前記第３変更手段により前記無効領域に変更された分割領域に対応する前記表示面に前記無効領域を示す画像を表示し、
前記表示制御手段は、前記第３変更手段により前記分割領域が前記無効領域に変更された場合、前記領域分割手段により前記有効領域として分割された分割領域と、前記第２変更手段により前記有効領域に変更された分割領域と、に対応する前記表示面に前記表示情報を表示することを特徴とする請求項４に記載の入力装置。
【請求項６】
前記第３変更手段は、前記第１変更手段により前記有効領域に変更された分割領域のうち前記接触回数が多い分割領域を、前記無効領域に変更することを特徴とする請求項５に記載の入力装置。
【請求項７】
前記タッチパネルは、前記検出領域に接触する前記入力媒体の接触面積に応じて変化する静電容量を検出するものであり、
前記接触判断手段は、前記無効領域とされた分割領域において前記入力媒体の接触により変化した静電容量が所定値より小さいか否かを判断する静電容量判断手段を備え、
前記第２変更手段は、前記静電容量判断手段により前記静電容量が当該所定値より小さいと判断された場合、前記入力媒体が前記無効領域に接触されてから離れるまでに前記入力媒体により接触された分割領域を前記有効領域に変更することを特徴とする請求項４〜６のいずれかに記載の入力装置。
【請求項８】
前記表示部はバックライト装置を備え、
前記バックライト装置に供給する電流をオフする電源切替手段を備え、
前記電源切替手段は、前記接触判断手段により前記入力媒体が前記検出領域から離れたと判断された場合、前記バックライト装置に供給する電流をオフすることを特徴とする請求項４〜７のいずれかに記載の入力装置。
【請求項９】
前記位置変更手段により前記有効領域に対応する表示面に表示させる対象となる表示情報が前記有効領域に対応する表示面で表示可能か否かを判断する表示判断手段と、
前記表示判断手段により表示できないと判断された場合、前記有効領域に対応する表示面に表示可能な大きさに当該表示情報を縮小する縮小手段と、
を備え、
前記領域表示手段は、前記縮小手段により縮小された表示情報を前記有効領域に対応する表示面に表示することを特徴とする請求項２に記載の入力装置。
【請求項１０】
入力媒体により検出領域内が接触されると、その接触位置を検出するタッチパネルと、
前記タッチパネルが重ねられる表示面に表示情報を表示する表示部と、
前記検出領域内に、前記表示面に表示される複数の表示情報各々に対応付けて、複数の操作受付領域を設定する設定手段と、
前記設定手段により設定された各操作受付領域のうち、いずれかが前記入力媒体の接触を検出した場合、その操作受付領域に関連付けられた処理を実行する実行手段と、を有し、
前記複数の操作受付領域と、当該複数の操作受付領域各々に対応する前記表示情報とが重なるように、前記表示情報を前記表示面に表示する入力装置のコンピュータが実行可能な入力制御プログラムであって、
前記コンピュータに、
前記入力媒体により接触された接触位置を記憶する記憶手段と、
前記検出領域を、前記実行手段による処理を許諾する有効領域と、前記実行手段による処理の実行を抑制する無効領域と、に分割する領域分割手段と、
前記領域分割手段により分割された前記有効領域に対応する前記表示面に前記表示情報を表示し、前記前記領域分割手段により分割された前記無効領域に対応する前記表示面に前記無効領域を示す画像を表示させる領域表示手段と、
前記有効領域内の前記操作受付領域が前記入力媒体により接触された場合、当該操作受付領域に関連付けられた処理を実行し、前記無効領域内の前記操作受付領域が前記入力媒体により接触された場合、当該操作受付領域に関連付けられた処理を実行しないように制御する制御手段と、
を実行することを特徴とする入力制御プログラム。
【発明の詳細な説明】
【技術分野】
【０００１】
本発明は、入力装置及び入力制御プログラムに関するものである。
【背景技術】
【０００２】
従来、情報入力を行うタッチパネル等の入力装置が知られている。この入力装置は、キーボードやボタン等の入力装置を用いなくても、直接タッチパネルに触れることにより入力操作を行うことができるので、ユーザにとって操作が簡単で非常に便利である。
【０００３】
しかし、この入力装置は入力を目的としてタッチパネルをユーザが指などで触れるため、タッチパネル上が指紋などにより汚れやすく、タッチパネルの下に重ねられた表示面に表示された各種情報の視認性を維持するためには、タッチパネルを払拭する清掃作業が必要となる。
【０００４】
特許文献１に記載のタッチパネルを備えた情報端末機器は、「お掃除モード」と呼ばれる動作モードを設けている。このお掃除モードがオンされることにより、その後の一定時間は入力を受付けずに、且つ、背景を黒色系にして画面上の汚れを目立たせ、利用者による画面の掃除の作業性を向上させる。
【先行技術文献】
【特許文献】
【０００５】
【特許文献１】特開２００４−３５５０７８号公報
【発明の概要】
【発明が解決しようとする課題】
【０００６】
しかしながら、特許文献１に記載のタッチパネルを備えた情報端末機器は、お掃除モードがオンされた後の一定時間は、入力操作を行うことができないという問題が生じる。通常、タッチパネル上を清掃する必要性はタッチパネルの使用時に感ずることが多く、特に、複数人によりタッチパネルが使用される入力装置において、お掃除モード中は清掃作業を行うユーザ以外のユーザもタッチパネルにおける入力操作を行うことができないので、不便である。
【０００７】
本発明は、上述した問題点を解決するためになされたものであり、ユーザによるタッチパネルの清掃を容易にしつつ、ユーザによるタッチパネルの清掃中においても、タッチパネルの入力操作が可能な入力装置及び入力制御プログラムを提供することを目的とする。
【課題を解決するための手段】
【０００８】
前記目的を達成するために、請求項１に記載の入力装置は、入力媒体により検出領域内が接触されると、その接触位置を検出するタッチパネルと、前記タッチパネルが重ねられる表示面に表示情報を表示する表示部と、前記検出領域内に、前記表示面に表示される複数の表示情報各々に対応付けて、複数の操作受付領域を設定する設定手段と、前記設定手段により設定された各操作受付領域のうち、いずれかが前記入力媒体の接触を検出した場合、その操作受付領域に関連付けられた処理を実行する実行手段と、を有し、前記複数の操作受付領域と、当該複数の操作受付領域各々に対応する前記表示情報とが重なるように、前記表示情報を前記表示面に表示する入力装置であって、前記入力媒体により接触された接触位置を記憶する記憶手段と、前記検出領域を、前記実行手段による処理を許諾する有効領域と、前記実行手段による処理の実行を抑制する無効領域と、に分割する領域分割手段と、前記領域分割手段により分割された前記有効領域に対応する前記表示面に前記表示情報を表示し、前記領域分割手段により分割された前記無効領域に対応する前記表示面に前記無効領域を示す画像を表示させる領域表示手段と、前記有効領域内の前記操作受付領域が前記入力媒体により接触された場合、当該操作受付領域に関連付けられた処理を実行し、前記無効領域内の前記操作受付領域が前記入力媒体により接触された場合、当該操作受付領域に関連付けられた処理を実行しないように制御する制御手段と、を備えることを特徴とする。
【０００９】
ここで、実行手段による処理の実行を抑制するとは、例えば、実行手段による処理の実行を禁止する、入力媒体の接触による接触位置の検出を行わないように制御する、など実行手段による処理が実行されないものであれば、種々の態様を採ることができる。
【００１０】
請求項２に記載の発明は、請求項１に記載の入力装置において、前記無効領域内の前記操作受付領域に対応する表示情報を前記有効領域に対応する表示面に表示させる位置変更手段を備え、前記設定手段は、前記位置変更手段により前記表示面に表示された表示情報に対応付けて、前記操作受付領域を設定することを特徴とする。
【００１１】
請求項３に記載の発明は、請求項２に記載の入力装置において、前記検出領域は複数の分割領域に分割され、前記記憶手段は、各分割領域における前記入力媒体の接触回数を記憶し、前記領域分割手段は、前記記憶手段により記憶された接触回数が所定数以上の分割領域を前記無効領域とし、前記記憶手段により記憶された接触回数が前記所定数より小さい分割領域を前記有効領域として前記検出領域を分割し、前記位置変更手段により前記有効領域に対応する表示面に表示させる対象となる表示情報が前記有効領域に対応する表示面で表示できるか否かを判断する表示判断手段と、前記表示判断手段により表示できないと判断された場合、複数の前記無効領域のうち前記接触回数が少ない分割領域を、前記有効領域として変更する第１変更手段と、前記領域分割手段により前記有効領域として分割された分割領域と、前記第１変更手段により前記有効領域として変更された分割領域と、に対応する前記表示面に前記表示情報を表示する表示制御手段と、を備えることを特徴とする。
【００１２】
請求項４に記載の発明は、請求項３に記載の入力装置において、前記領域分割手段により前記無効領域とされた分割領域が前記入力媒体により接触された後に前記入力媒体が前記無効領域から離れたか否かを判断する接触判断手段を備え、前記接触判断手段により前記入力媒体が前記検出領域から離れたと判断された場合、前記入力媒体が前記無効領域に接触されてから離れるまでに前記入力媒体により接触された分割領域を前記有効領域に変更する第２変更手段と、前記第２変更手段により前記有効領域に変更された分割領域に対応する表示面に表示されていた前記無効領域を示す画像を消去する表示変更手段と、を備えることを特徴とする。
【００１３】
請求項５に記載の発明は、請求項４に記載の入力装置において、前記第２変更手段により前記分割領域が前記有効領域に変更された場合、前記第１変更手段により前記有効領域に変更された分割領域を、前記無効領域に変更する第３変更手段と、を備え、前記表示変更手段は、前記第３変更手段により前記無効領域に変更された分割領域に対応する前記表示面に前記無効領域を示す画像を表示し、前記表示制御手段は、前記第３変更手段により前記分割領域が前記無効領域に変更された場合、前記領域分割手段により前記有効領域として分割された分割領域と、前記第２変更手段により前記有効領域に変更された分割領域と、に対応する前記表示面に前記表示情報を表示することを特徴とする。
【００１４】
請求項６に記載の発明は、請求項５に記載の入力装置において、前記第３変更手段は、前記第１変更手段により前記有効領域に変更された分割領域のうち前記接触回数が多い分割領域を、前記無効領域に変更することを特徴とする。
【００１５】
請求項７に記載の発明は、請求項４〜６のいずれかに記載の入力装置において、前記タッチパネルは、前記検出領域に接触する前記入力媒体の接触面積に応じて変化する静電容量を検出するものであり、前記接触判断手段は、前記無効領域とされた分割領域において前記入力媒体の接触により変化した静電容量が所定値より小さいか否かを判断する静電容量判断手段を備え、前記第２変更手段は、前記静電容量判断手段により前記静電容量が当該所定値より小さいと判断された場合、前記入力媒体が前記無効領域に接触されてから離れるまでに前記入力媒体により接触された分割領域を前記有効領域に変更することを特徴とする。
【００１６】
請求項８に記載の発明は、請求項４〜７のいずれかに記載の入力装置において、前記表示部はバックライト装置を備え、前記バックライト装置に供給する電流をオフする電源切替手段を備え、前記電源切替手段は、前記接触判断手段により前記入力媒体が前記検出領域から離れたと判断された場合、前記バックライト装置に供給する電流をオフすることを特徴とする。
【００１７】
請求項９に記載の発明は、請求項２に記載の入力装置において、前記位置変更手段により前記有効領域に対応する表示面に表示させる対象となる表示情報が前記有効領域に対応する表示面で表示可能か否かを判断する表示判断手段と、前記表示判断手段により表示できないと判断された場合、前記有効領域に対応する表示面に表示可能な大きさに当該表示情報を縮小する縮小手段と、を備え、前記領域表示手段は、前記縮小手段により縮小された表示情報を前記有効領域に対応する表示面に表示することを特徴とする。
【００１８】
請求項１０に記載の入力制御プログラムは、入力媒体により検出領域内が接触されると、その接触位置を検出するタッチパネルと、前記タッチパネルが重ねられる表示面に表示情報を表示する表示部と、前記検出領域内に、前記表示面に表示される複数の表示情報各々に対応付けて、複数の操作受付領域を設定する設定手段と、前記設定手段により設定された各操作受付領域のうち、いずれかが前記入力媒体の接触を検出した場合、その操作受付領域に関連付けられた処理を実行する実行手段と、を有し、前記複数の操作受付領域と、当該複数の操作受付領域各々に対応する前記表示情報とが重なるように、前記表示情報を前記表示面に表示する入力装置のコンピュータが実行可能な入力制御プログラムであって、前記コンピュータに、前記入力媒体により接触された接触位置を記憶する記憶手段と、前記検出領域を、前記実行手段による処理を許諾する有効領域と、前記実行手段による処理の実行を抑制する無効領域と、に分割する領域分割手段と、前記領域分割手段により分割された前記有効領域に対応する前記表示面に前記表示情報を表示し、前記前記領域分割手段により分割された前記無効領域に対応する前記表示面に前記無効領域を示す画像を表示させる領域表示手段と、前記有効領域内の前記操作受付領域が前記入力媒体により接触された場合、当該操作受付領域に関連付けられた処理を実行し、前記無効領域内の前記操作受付領域が前記入力媒体により接触された場合、当該操作受付領域に関連付けられた処理を実行しないように制御する制御手段と、を実行することを特徴とする。
【発明の効果】
【００１９】
請求項１及び請求項１０に記載の発明によれば、入力媒体により接触された接触位置が記憶され、検出領域が、入力媒体の接触を検出した場合にその操作受付領域に関連付けられた処理の実行を許諾する有効領域と、入力媒体の接触を検出した場合にその操作受付領域に関連付けられた処理の実行を抑制する無効領域と、に分割される。そして、有効領域に対応する表示面に表示情報が表示され、無効領域に対応する表示面に無効領域を示す画像が表示される。操作受付領域に関連付けられた処理の実行が抑制される無効領域はユーザが清掃中であっても誤動作を防止することができるので、ユーザは無効領域を清掃するのが好適である。無効領域を示す画像を表示させて無効領域をユーザに認識させることができるので、ユーザによるタッチパネルの清掃を容易にすることができる。また、ユーザによるタッチパネルの清掃中においても、入力領域が設けられているのでタッチパネルの入力操作が可能となる。
【００２０】
また、請求項２に記載の発明によれば、無効領域内の操作受付領域に対応する表示情報が有効領域に対応する表示面に表示され、表示面に表示された表示情報に対応付けて、操作受付領域が設定される。これにより、ユーザによるタッチパネルの清掃中であっても、表示面に表示されるより多くの表示情報に対応する操作受付領域に関連付けられた処理を実行することができる。
【００２１】
また、請求項３に記載の発明によれば、接触回数が所定数以上の分割領域が無効領域とされ、接触回数が所定数より小さい分割領域を有効領域として検出領域が分割される。無効領域内の操作受付領域に対応する表示情報のうち有効領域に対応する表示面に表示させる対象となる表示情報が有効領域に対応する表示面で表示できない場合、複数の無効領域のうち接触回数が少ない分割領域が、有効領域として変更される。そして、検出領域のうち有効領域として分割された分割領域と、有効領域として変更された分割領域と、に対応する表示面に表示情報が表示される。これにより、接触回数が所定数以上の分割領域が多い場合であっても、表示面に表示されるより多くの表示情報に対応する操作受付領域に関連付けられた処理を確実に実行することができる。
【００２２】
また、請求項４に記載の発明によれば、無効領域とされた分割領域が入力媒体により接触された後に入力媒体が検出領域から離れたと判断された場合、入力媒体が無効領域に接触されてから離れるまでに入力媒体により接触された分割領域が有効領域に変更される。また、無効領域とされた分割領域に対応する表示面に表示された無効領域を示す画像が消去される。無効領域とされた分割領域が入力媒体により接触される場合は、その分割領域がユーザの払拭動作などにより清掃されたために接触された可能性が高い。したがって、無効領域とされた分割領域が入力媒体により接触された後に入力媒体が検出領域から離れた場合、すなわち、ユーザによる分割領域の清掃が完了された場合、ユーザによる清掃完了した分割領域が有効領域に変更されるので、ユーザは入力操作を効率良く行うことができる。
【００２３】
また、請求項５に記載の発明によれば、接触された分割領域が有効領域に変更された場合、有効領域に変更されていた分割領域が無効領域に変更され、その無効領域に変更された分割領域に対応する表示面に無効領域を示す画像が表示される。また、検出領域のうち有効領域として分割された分割領域と、有効領域に変更された分割領域と、に対応する表示面に表示情報が表示される。これにより、表示面に表示されるより多くの表示情報に対応する操作受付領域に関連付けられた処理を確実に実行することができる。また、入力媒体の接触により汚れた領域についてユーザによる清掃を確実に行うことができる。
【００２４】
また、請求項６に記載の発明によれば、無効領域内の操作受付領域に対応する表示情報のうち有効領域に対応する表示面に移動させる対象となる表示情報が有効領域に対応する表示面で表示できない場合に有効領域に変更された分割領域のうち接触回数が多い分割領域が、無効領域に変更される。これにより、入力媒体の接触による汚れが顕著な領域から優先して無効領域に変更されるため、ユーザによる清掃をより効率良く行うことができる。
【００２５】
また、請求項７に記載の発明によれば、無効領域とされた分割領域において入力媒体の接触により変化した静電容量が所定値より小さい場合、その入力媒体が無効領域に接触されてから離れるまでにその入力媒体により接触された分割領域が有効領域に変更される。一般に、布などの払拭部材の接触により変化した静電容量は、指の接触により変化した静電容量より小さいので、入力媒体の接触により変化した静電容量が所定値より小さい場合、その入力媒体は布などの払拭部材であると想到し得る。したがって、無効領域とされた分割領域において入力媒体の接触により変化した静電容量が所定値より小さい場合、すなわち、布などの払拭部材により接触された場合、その分割領域の清掃の完了と判断することにより、タッチパネルの分割領域における清掃の完了を確実に判断することができる。
【００２６】
また、請求項８に記載の発明によれば、無効領域とされた分割領域が入力媒体により接触された後に入力媒体が検出領域から離れた場合、表示部に備えられたバックライト装置に供給する電流がオフされる。これにより、表示面が暗くなるためタッチパネルにおける指紋等の汚れが目立ち易くなり、タッチパネルの清掃が確実に完了したか否かをユーザに容易に判断させることができる。
【００２７】
さらに、請求項９に記載の発明によれば、無効領域内の操作受付領域に対応する表示情報のうち有効領域に対応する表示面に表示させる対象となる表示情報が有効領域に対応する表示面で表示できない場合、その表示情報が有効領域に対応する表示面に表示可能な大きさに縮小される。そして、縮小された表示情報が有効領域に対応する表示面に表示される。これにより、接触回数が所定数以上の分割領域が多い場合であっても、表示面に表示されるより多くの表示情報に対応する操作受付領域に関連付けられた処理を確実に実行することができる。
【図面の簡単な説明】
【００２８】
【図１】（Ａ）は、本発明の入力装置の一実施形態であるＭＦＰの電気的構成を示すブロック図であり、（Ｂ）は、ＬＣＤに表示される操作画面の一例を示す概略図である。
【図２】第１実施形態に係る、清掃モードにおける操作方法の一例を説明する概略図である。
【図３】第１実施形態における接触回数計測処理を示すフローチャートである。
【図４】第１実施形態における清掃制御処理を示すフローチャートである。
【図５】第２実施形態に係る、清掃モードにおける操作方法の一例を説明する概略図である。
【図６】第１実施形態における清掃制御処理を示すフローチャートである。
【発明を実施するための形態】
【００２９】
以下、本発明の実施形態について、添付図面を参照しつつ詳細に説明する。本実施形態では、本発明の入力装置及び入力制御プログラムとして、多機能周辺装置（以下、「ＭＦＰ（Ｍｕｌｔｉ  Ｆｕｎｃｔｉｏｎ  Ｐｅｒｉｐｈｅｒａｌ）」と称す）１を例に挙げて説明する。
【００３０】
ＭＦＰ１は、コピー機能、ＦＡＸ機能、スキャン機能、及び、プリンタ機能などの各種機能を有している。ＭＦＰのユーザは、タッチパネル１７（図１参照）に設定される操作受付領域を操作することにより、操作受付領域に割り当てられている処理をＭＦＰ１に実行させることができる。操作受付領域は、タッチパネル１７の検出領域１７１（図１（Ｂ）参照）内に、ＬＣＤ１６（図１参照）の表示面１６１（図１（Ｂ）参照）に表示される入力ボタン（本発明の表示情報に相当）に対応付けて設定される領域である。
【００３１】
［第１実施形態］
＜電気的構成＞
第１実施形態に係るＭＦＰ１の電気的構成について、図１（Ａ）を参照して説明する。ＭＦＰ１は、ＣＰＵ１０と、ＲＯＭ１１と、ＲＡＭ１２と、フラッシュメモリ１４と、操作キー１５と、ＬＣＤ１６（本発明の表示部に相当）と、タッチパネル１７と、スキャナ２０と、プリンタ２１と、ＮＣＵ２３と、モデム２４とを備える。
【００３２】
ＣＰＵ１０、ＲＯＭ１１、ＲＡＭ１２、及び、フラッシュメモリ１４は、バスライン２６を介して互いに接続されている。また、操作キー１５、ＬＣＤ１６、タッチパネル１７、スキャナ２０、プリンタ２１、ＮＣＵ２３、モデム２４、及び、バスライン２６は、入出力ポート２７を介して互いに接続されている。
【００３３】
ＣＰＵ１０は、ＲＯＭ１１、ＲＡＭ１２、または、フラッシュメモリ１４に記憶される固定値やプログラム、または、ＮＣＵ２３を介して送受信される各種信号に従って、ＭＦＰ１が有している各機能の制御や、入出力ポート２７と接続された各部を制御するものである。
【００３４】
ＲＯＭ１１は、ＭＦＰ１で実行される制御プログラム１１１等を格納する書換不能なメモリである。ＣＰＵ１０は、制御プログラム１１１に従い、図３のフローチャートに示す接触回数計測処理、及び、図４のフローチャートに示す清掃制御処理を実行する。ＲＡＭ１２は、各種のデータを一時的に記憶するための書換可能な揮発性のメモリである。ＲＡＭ１２には、タッチパネル１７により検出される、入力媒体の接触位置が記憶される。操作キー１５は、ＭＦＰ１に指示を入力するためのハードキーである。
【００３５】
ＬＣＤ１６は、液晶表示装置であって、タッチパネル１７が重ねられる表示面１６１（図１（Ｂ）参照）を有し、その表示面１６１に画像を表示する。ＬＣＤ１６は、表示面１６１の下にバックライト装置を有している。バックライト装置は、電流の供給により発光して表示面１６１を照らし、表示面１６１の表示を見易くするためのものである。
【００３６】
タッチパネル１７は、投影型静電容量方式のタッチパネルであって、その検出領域１７１（図１（Ｂ）参照）の全域が格子状に細かく区分けされ、区分けされた単位領域毎に電極を配設している。タッチパネル１７の検出領域１７１に、ユーザの指などの入力媒体が接近または接触すると、入力媒体と電極との間で静電結合が生じ、検出領域１７１７に接触する入力媒体の接触面積に応じて、電極の静電容量変化が生じる。
【００３７】
タッチパネル１７は、上下左右の向きを有しており、各単位領域には、それぞれ個別に、各単位領域を識別するための座標情報が付されている。タッチパネル１７の表面に向かって左上の単位領域の座標情報を（０，０）として、右方向（図１（Ｂ）に示すＸ方向）及び下方向（図１（Ｂ）に示すＹ方向）に向かって値が連続するように座標情報（Ｘ，Ｙ）が付されている。座標情報は、タッチパネル１７の右方向及び下方向に向かうほど大きくなり、タッチパネル１７の表面に向かって右上の単位領域の座標情報を（Ｘｍ，０）、左下の単位領域の座標情報を（０，Ｙｍ）、右下の単位領域の座標情報を（Ｘｍ，Ｙｍ）とする。タッチパネル１７は、電極の静電容量変化が見られた単位領域の座標情報を、入力媒体が接触した接触位置として検出し、出力する。
【００３８】
タッチパネル１７は、検出領域１７１内に、表示面１６１に表示される複数の入力ボタン３１〜３５（図１（Ｂ）参照）各々に対応付けて、複数の操作受付領域が設定される（本発明の設定手段に相当）。設定された各操作受付領域のうちのいずれかにおいて、入力媒体の接触が検出された場合、その操作受付領域に関連付けられた処理が実行される（本発明の実行手段に相当）。操作受付領域と、操作受付領域に関連付けられた処理とは、対応する入力ボタン３１〜３５に対応付けられてＲＯＭ１１に記憶されている。例えば、図１（Ｂ）において、コピーボタン３１、スキャンボタン３２、ＦＡＸボタン３３、プリントボタン３４は、それぞれコピー機能、スキャン機能、ＦＡＸ機能、プリンタ機能が関連付けてＲＯＭ１１に記憶されている。図１（Ｂ）において、清掃モードボタン３５は、後述する清掃制御処理（図４参照）が関連付けられてＲＯＭ１１に記憶されている。例えば、ユーザによるコピーボタン３１に対応する操作受付領域の接触が検出された場合は、コピー機能が実行される。
【００３９】
タッチパネル１７の検出領域１７１は、複数の単位領域からなる分割領域に分割されている。本実施形態において、図１（Ｂ）に示すタッチパネル１７は、検出領域１７１がＸ方向に４等分及びＹ方向に３等分されることにより生成される１２個の分割領域７１〜８２を有し、各分割領域７１〜８２の境界が破線で示されている。図１（Ｂ）において、分割領域７１〜８２の境界を示す破線は、説明の都合上図示したものであり、表示面１６１には表示されないものである。本実施形態において、分割領域７１〜８２は検出領域１７１が１２等分された領域であるが、本発明はこれに限定されるものではなく、少なくとも２以上に分割されていればよい。また、分割領域７１〜８２の大きさは全て同じでなくてもよい。
【００４０】
本実施形態において、ＭＦＰ１は、通常モード及び清掃モードの２つの動作モードが用意されている。通常モードは、入力媒体によって入力ボタン３１〜３５（図１（Ｂ）参照）に対応する操作受付領域が接触されることにより、コピー機能、スキャン機能、ＦＡＸ機能、プリンタ機能などの各種機能が実行される状態である。本実施形態では、通常モードにおいて、ユーザによる清掃モードボタン３５（図１（Ｂ）参照）の接触が検出された場合に、清掃モードへ移行される。通常モードでは、各分割領域７１〜８２がユーザの指などにより接触された接触回数が随時計測され、後述する接触回数メモリ１４２に記憶される。
【００４１】
清掃モードは、ユーザによるタッチパネル１７の表面の清掃を補助する動作モードである。清掃モードにおいて、検出領域１７１は、無効領域と有効領域とに分割される。無効領域は、ユーザの指による接触回数に基づいて、汚れていると判断される分割領域が入力媒体により接触された場合にその分割領域に関連付けられた処理の実行を禁止する領域である。有効領域は、ユーザの指による接触回数に基づいて、汚れていないと判断される分割領域がその分割領域に関連付けられた処理を実行する領域である。本実施形態では、清掃モードの間、有効領域内の操作受付領域が入力媒体により接触された場合その操作受付領域に関連付けられた処理が実行され、無効領域内の操作受付領域が入力媒体により接触された場合、その操作受付領域に関連付けられた処理を実行しないようにＣＰＵ１０により制御される（本発明の制御手段に相当）。
【００４２】
図１（Ａ）に戻り説明する。スキャナ２０は、ＦＡＸ機能、スキャン機能、または、コピー機能の実行時に原稿を読み取るためのものである。プリンタ２１は、記録用紙に画像を印刷するためのものである。ＮＣＵ２３は、電話回線の制御を行うものである。モデム２４は、ファクシミリ送信時には送信信号を電話回線での伝送に適した形態に変調し、一方、ファクシミリ受信時には電話回線から送られてきた変調信号を復調するものである。
【００４３】
フラッシュメモリ１４は、書換可能な不揮発性のメモリである。フラッシュメモリ１４は、領域座標メモリ１４１と、接触回数メモリ１４２と、清掃モードフラグメモリ１４３と、領域分割メモリ１４４と、指紋フラグメモリ１４５と、パラメータ記憶メモリ１４６とを有している。フラッシュメモリ１４は、人の指紋を示す指紋画像３０（図２（Ｂ）参照）が記憶されている。
【００４４】
領域座標メモリ１４１は、分割領域７１〜８２の大きさと、分割領域７１〜８２の中心座標と、分割領域７１〜８２を特定する識別情報とがそれぞれ対応付けて記憶されるメモリである。分割領域７１〜８２を特定する識別情報は、例えば、分割領域７１から分割領域８２まで順番に、１，２，・・・，１２と付された番号など、各分割領域を特定可能なものであればよい。本実施形態において、領域座標メモリ１４１は、識別情報と分割領域７１〜８２の大きさと分割領域７１〜８２の中心座標とがそれぞれ対応付けて記憶されているが、本発明はこれに限定されることなく、識別情報と分割領域７１〜８２の大きさと分割領域７１〜８２の所定位置の座標とがそれぞれ対応付けて記憶されていればよい。
【００４５】
接触回数メモリ１４２は、分割領域７１〜８２がユーザの指により接触された接触回数Ｔｎがそれぞれ記憶されるメモリである。接触回数メモリ１４２は、分割領域７１〜８２を特定する識別情報と分割領域７１〜８２における接触回数Ｔｎとがそれぞれ対応付けて記憶される。
【００４６】
清掃モードフラグメモリ１４３は、清掃モードフラグが記憶されるメモリである。清掃モードフラグは、ユーザによる清掃モードボタン３５の押下に基づいて、清掃モードであるか否かを示すフラグである。清掃モードフラグがオンである場合は、清掃モードであることを示し、一方、清掃モードフラグがオフである場合は、清掃モードでないことを示す。
【００４７】
領域分割メモリ１４４は、清掃モードにおいて、分割領域７１〜８２がそれぞれ有効領域であるか無効領域であるかが記憶されるメモリである。領域分割メモリ１４４は、分割領域７１〜８２を特定する識別情報と、分割領域７１〜８２が無効領域であることを示す無効情報または分割領域７１〜８２が有効領域であることを示す有効情報とがそれぞれ対応付けて記憶される。
【００４８】
指紋フラグメモリ１４５は、指紋フラグが記憶されるメモリである。指紋フラグは、清掃モードにおいて、分割領域７１〜８２に対応する表示面１６１の領域に指紋を示す指紋画像３０（図２（Ｂ）参照）が表示されているか否かを示すフラグである。指紋画像３０は、無効領域に対応する表示面１６１の領域に表示される。すなわち、指紋画像３０は指の接触により汚れている可能性が高い領域に対応する表示面１６１の領域に表示される。指紋フラグメモリがオンである場合は、表示面１６１に指紋画像３０が表示されていることを示し、一方、指紋フラグメモリがオフである場合は、表示面１６１に指紋画像３０が表示されていないことを示す。指紋フラグメモリ１４５は、分割領域７１〜８２を特定する識別情報と分割領域７１〜８２各々における指紋フラグとがそれぞれ対応付けて記憶される。初期状態において、指紋フラグは全てオフとなっている。
【００４９】
パラメータ記憶メモリ１４６は、接触回数計測処理及び清掃制御処理における各種パラメータが記憶されるメモリである。パラメータ記憶メモリ１４６には、例えば、清掃モードにおいて各分割領域７１〜８２が無効領域と設定される接触回数の閾値Ｔ０、指による接触であると判断される電極の静電容量の変化量の閾値が記憶される。一般に、布などの払拭部材の接触による静電容量の変化量は、指の接触による静電容量の変化量より小さい。したがって、本実施形態では、検出された静電容量の変化量が、パラメータ記憶メモリ１４６に記憶される変化量の閾値以上であれば、指による接触であると判断され、一方、検出された静電容量の変化量が、変化量の閾値より小さければ、払拭部材による接触であると判断される。
【００５０】
＜実施形態の動作＞
次に、第１実施形態におけるＭＦＰ１の動作について、図２〜図４を参照して詳細に説明する。
【００５１】
（接触回数計測処理）
まず、図３を参照して、ＭＦＰ１のＣＰＵ１０により実行される接触回数計測処理について説明する。この接触回数計測処理は、通常モードにおいて、ＣＰＵ１０により入力媒体による接触が検出された場合、すなわち、ＣＰＵ１０により電極の静電容量変化が検出された場合に実行される処理である。本実施形態において、ＣＰＵ１０により電極の静電容量変化が検出されたときに、静電容量変化が検出された単位領域の座標情報が、入力媒体が接触した接触位置としてＲＡＭ１２に記憶される（本発明の記憶手段に相当）。ＣＰＵ１０により検出された電極の静電容量の変化量は、座標情報と対応付けられてＲＡＭ１２に記憶される。
【００５２】
この接触回数計測処理では、まず、ＣＰＵ１０により検出された電極の静電容量の変化量が所定値以下であるか否かが判断される（ステップ３００、以下ステップをＳと記す）。所定値とは、パラメータ記憶メモリ１４６に記憶されている指による接触であると判断される静電容量の変化量の閾値である。ＣＰＵ１０により検出された電極の静電容量の変化量が所定値以下であると判断された場合（Ｓ３００：ＹＥＳ）、払拭部材による接触であると判断され、本処理が終了される。
【００５３】
ＣＰＵ１０により検出された電極の静電容量の変化量が所定値より大きいと判断された場合（Ｓ３００：ＮＯ）、指による接触であると判断され、接触位置に対応する分割領域の接触回数Ｔｎがカウントされる（Ｓ３０２）。
【００５４】
具体的に、Ｓ３０２では、まず、領域座標メモリ１４１に記憶された分割領域７１〜８２（図１（Ｂ）参照）の中心座標及び大きさに基づいて、ＲＡＭ１２に記憶されている座標情報が位置する分割領域が特定される。次に、特定された分割領域に対応して領域座標メモリ１４１記憶されている識別情報が特定され、特定された識別情報に対応付けて記憶されている接触回数Ｔｎが読み出される。そして、読み出された接触回数Ｔｎに、本接触回数計測処理の実行開始時にＣＰＵ１０により検出された接触回数、すなわち「１」が加算される。加算された接触回数Ｔｎは特定された識別情報に対応付けて接触回数メモリ１４２に記憶される。
【００５５】
本実施形態において、加算された接触回数Ｔｎが特定された識別情報に対応付けて接触回数メモリ１４２に記憶されたときに、加算前に特定された識別情報に対応付けて接触回数メモリ１４２に記憶されていた接触回数Ｔｎが消去される。本実施形態において、複数の分割領域７１〜８２が入力媒体により同時に接触された場合、接触された複数の分割領域に対応する接触回数Ｔｎがそれぞれ「１」ずつ加算されることとする。
【００５６】
Ｓ３０４において、接触位置に対応する動作が実行され、本処理が終了される。Ｓ３０４では、接触位置に対応する操作受付領域に関連付けられた処理がＲＯＭ１１から読み出されて実行される。
【００５７】
（清掃制御処理）
次に、ＭＦＰ１のＣＰＵ１０により実行される清掃制御処理について、図２及び図４を参照して説明する。
【００５８】
この清掃制御処理は、ＣＰＵ１０により清掃モードボタン３５に対応する操作受付領域の接触が検出された場合に実行される処理である。ＣＰＵ１０により清掃モードボタン３５に対応する操作受付領域の接触が検出された場合に、ＭＦＰ１は清掃モードへ移行される。入力ボタン３１〜３５各々の大きさは、分割領域１個に入力ボタン１個が表示可能な大きさとし、各入力ボタン３１〜３５は、分割領域７１〜８２のうち所定の１個の分割領域に表示される。図２（Ａ）は、ＣＰＵ１０による清掃モードボタン３５に対応する操作受付領域の接触が検出されたときの表示面１６１の表示例である。本実施形態において、清掃モードボタン３５に対応する操作受付領域の接触が検出された場合とは、図２（Ａ）に示すように、ユーザの指により清掃モードボタン３５が押下された場合である。清掃制御処理が実行される前に表示面１６１に表示されている入力ボタンの配置など（図２（Ａ）参照）は、フラッシュメモリ１４に記憶される。
【００５９】
この清掃制御処理は、まず、ボタン表示領域サイズが取得される（Ｓ４００）。ボタン表示領域サイズとは、清掃モードボタン３５に対応する操作受付領域の接触が検出されたときに、表示面１６１において、表示されている入力ボタン３１〜３５のうち、清掃モードボタン３５を除いた入力ボタン３１〜３４が占める領域の大きさである。具体的に、本実施形態では、ボタン表示領域サイズは、入力ボタン３１〜３４の数で示される。例えば、図２（Ａ）において、ボタン表示領域サイズは、コピーモードボタン３１、スキャンモードボタン３２、ＦＡＸモードボタン３３、及び、プリントモードボタン３４の４個となる。本実施形態において、ボタン表示領域サイズは、ＣＰＵ１０によりＳ４００の処理のたびに毎回算出されてもよいし、予め各画面表示におけるボタン表示領域サイズがＲＯＭ１１に記憶され、ＣＰＵ１０によりＲＯＭ１１から読み出されてもよい。
【００６０】
図４のＳ４０２において、接触回数メモリ１４２から各分割領域７１〜８２の指による接触回数Ｔｎが読み出される。Ｓ４０４において、Ｓ４０２で読み出された各分割領域７１〜８２の接触回数Ｔｎがパラメータ記憶メモリ１４６に記憶されている閾値Ｔ０以上か否かが判断され、判断の結果、接触回数Ｔｎが閾値Ｔ０以上であると判断された分割領域が無効領域とされる。無効領域とされた分割領域は、分割領域７１〜８２を特定する識別情報と、分割領域が無効領域であることを示す無効情報とがそれぞれ対応付けて領域分割メモリ１４４に記憶される。本実施形態では、分割領域７１〜８２のうち、分割領域７３〜７６及び分割領域７８〜８２が、接触回数Ｔｎが閾値Ｔ０以上であると判断され、無効領域と設定されたと仮定する。すると、分割領域７３〜７６及び分割領域７８〜８２を特定する識別情報と、無効情報とがそれぞれ対応付けて領域分割メモリ１４４に記憶される。
【００６１】
Ｓ４０２で読み出された各分割領域７１〜８２の接触回数Ｔｎがパラメータ記憶メモリ１４６に記憶されている閾値Ｔ０より小さいと判断された分割領域が有効領域とされる（Ｓ４０６）。すなわち、Ｓ４０６では、分割領域７１〜８２のうち、Ｓ４０４において無効領域とされなかった分割領域が有効領域とされる。有効領域とされた分割領域は、分割領域７１〜８２を特定する識別情報と、分割領域が有効領域であることを示す有効情報とがそれぞれ対応付けて領域分割メモリ１４４に記憶される。本実施形態では、分割領域７１〜７２及び分割領域７７が有効領域と設定される。そして、分割領域７１〜７２及び分割領域７７を特定する識別情報と、有効情報とがそれぞれ対応付けて領域分割メモリ１４４に記憶される。
【００６２】
有効領域サイズがボタン表示領域サイズ以上であるか否かが判断される（Ｓ４０８）。有効領域サイズとは、Ｓ４０６で有効領域とされた分割領域の大きさの総和である。具体的に、本実施形態では、有効領域サイズは、Ｓ４０６で有効領域とされた分割領域の数で示される。Ｓ４０８では、有効領域サイズが算出され、算出された有効領域サイズがＳ４００で取得されたボタン表示領域サイズ以上か否かが判断される。判断の結果、有効領域サイズがボタン表示領域サイズ以上であると判断された場合（Ｓ４０８：ＹＥＳ）、ステップ処理はＳ４１４へ移行される。
【００６３】
判断の結果、有効領域サイズがボタン表示領域サイズより小さいと判断された場合（Ｓ４０８：ＮＯ）、有効領域サイズに対するボタン表示領域サイズの不足分を満たす分割領域数Ｎが算出される（Ｓ４１０）。Ｓ４１０において、有効領域サイズとボタン表示領域サイズの差分を満たすために少なくとも必要な分割領域数Ｎが算出される。例えば、本実施形態において、分割領域７１〜７２と分割領域７７とからなる有効領域の有効領域サイズは、４個の入力ボタン３１〜３４からなるボタン表示領域サイズより小さい。この場合、分割領域３個分の有効領域には３個の入力ボタンが表示可能であり、残り１個の入力ボタンが表示される有効領域が不足する。入力ボタンが１個表示されるためには少なくとも１個の分割領域が必要であるため、有効領域サイズとボタン表示領域サイズの差分を満たすために少なくとも必要な分割領域数Ｎは「１」となる。
【００６４】
無効領域のうち、接触回数Ｔｎが少ないＮ個の分割領域が有効領域に変更される（Ｓ４１２）。Ｓ４１２では、Ｓ４０４で無効領域とされた分割領域のうち、接触回数Ｔｎが少ない順にＮ番目までの分割領域が有効領域に変更される。領域分割メモリ１４４において、Ｓ４１２で有効領域に変更された分割領域を特定する識別情報に対応付けて、分割領域が有効領域であるという有効情報、および、ボタン表示領域サイズの不足により無効領域から有効領域に変更されたことを示す情報が記憶される。なお、Ｓ４０４でこの分割領域を特定する識別情報に対応付けて記憶されていた無効情報は消去される。本実施形態では分割領域数Ｎは「１」であるため、無効領域とされた分割領域７３〜７６及び分割領域７８〜８２のうち、接触回数Ｔｎが最も少ない分割領域１個が有効領域に変更される。本実施形態において、分割領域７３〜７６及び分割領域７８〜８２のうち、接触回数Ｔｎが最も少ない分割領域は分割領域７３であるとし、分割領域７３が有効領域に変更される。
【００６５】
有効領域に入力ボタン３１〜３４が表示される（Ｓ４１４）。本実施形態では、Ｓ４１４において、分割領域７１〜８２において、分割領域７４〜７６及び分割領域７８〜８２が無効領域とされ、分割領域７１〜７３及び分割領域７７が有効領域とされている。Ｓ４１４では、分割領域７１〜７３及び分割領域７７各々に対応する表示面１６１に入力ボタン３１〜３４各々が表示される。そして、表示面１６１に表示された入力ボタン３１〜３４各々に対応付けて、操作受付領域が設定される。
【００６６】
無効領域とされた各分割領域に対応する表示面１６１に、フラッシュメモリ１４に記憶されている指紋画像３０が表示される（Ｓ４１６）。Ｓ４１６では、指による接触が顕著に検出された無効領域に対応する表示面１６１に、指紋画像３０が表示される。本実施形態では、無効領域とされた分割領域各々に対応する表示面１６１に指紋画像３０が１個表示されることとする。Ｓ４１６では、指紋フラグメモリ１４５において、指紋画像３０が表示される分割領域７１〜８２を特定する識別情報と対応付けて記憶されている指紋フラグがオンに変更される。
【００６７】
図２（Ｂ）は、Ｓ４１６の処理が実行されたときの表示面１６１の表示例である。Ｓ４１４において、コピーボタン３１が有効領域である分割領域７１、スキャンボタン３２が有効領域である分割領域７２、ＦＡＸボタン３３が有効領域である分割領域７３、プリントボタン３４が有効領域である分割領域７７、に対応する表示面１６１にそれぞれ表示される。そして、表示面１６１に表示されたコピーボタン３１、スキャンボタン３２、ＦＡＸボタン３３、及び、プリントボタン３４各々に対応付けて、操作受付領域が設定される。分割領域７３は、Ｓ４０４において無効領域とされていたがＳ４１２により有効領域に変更された領域である。Ｓ４１６において、無効領域とされた分割領域７４〜７６及び分割領域７８〜８２各々に対応する表示面１６１に指紋画像３０が表示される。図２（Ｂ）において、無効領域とされた分割領域７４〜７６及び分割領域７８〜８２はまとめて無効領域２００とし、太い破線で示す。また、図２（Ｂ）において、斜線で示された楕円形は指紋画像３０である。
【００６８】
図４のＳ４１８において、検出領域１７１において、入力媒体による接触があったか否かが判断される。Ｓ４１８において、入力媒体による接触があるか否かは、接触回数計測処理（図３参照）と同様に、ＣＰＵ１０により電極の静電容量変化が検出されたか否かにより判断される。また、接触回数計測処理（図３参照）と同様に、ＣＰＵ１０により電極の静電容量変化が検出されたときに、静電容量変化が検出された単位領域の座標情報が、入力媒体が接触した接触位置としてＲＡＭ１２に記憶される。ＣＰＵ１０により検出された電極の静電容量の変化量は、座標情報と対応付けられてＲＡＭ１２に記憶される。入力媒体による接触がないと判断された場合（Ｓ４１８：ＮＯ）、入力媒体による接触があったと判断されるまでＳ４１８の処理が繰り返される。
【００６９】
検出領域１７１における入力媒体による接触があったと判断された場合（Ｓ４１８：ＹＥＳ）、接触が検出された接触位置が有効領域のみであるか否かが判断される（Ｓ４２０）。ここで、接触が検出された接触位置とは、入力媒体による接触が検出されてからその入力媒体が検出領域１７１から離れたことが検出されるまでに、その入力媒体により接触された全ての位置である。Ｓ４２０では、領域座標メモリ１４１に記憶された分割領域７１〜８２の中心座標及び大きさに基づいて、ＲＡＭ１２に記憶されている接触位置としての座標情報に対応する分割領域が特定され、特定された分割領域はＲＡＭ１２に記憶される。そして、領域分割メモリ１４４の無効情報及び有効情報に基づいて、特定された分割領域が有効領域であるか否かが判断される。判断の結果に基づいて、特定された分割領域が全て有効領域であるか否かが判断される。
【００７０】
接触が検出された接触位置が有効領域のみであると判断された場合（Ｓ４２０：ＹＥＳ）、接触された有効領域の接触回数がカウントされる（Ｓ４２２）。Ｓ４２２は、接触回数計測処理（図３参照）におけるＳ３０２と同様にして接触回数がカウントされる。具体的には、まず、接触が検出された有効領域に含まれる分割領域に対応して領域座標メモリ１４１記憶されている識別情報が特定され、特定された識別情報に対応付けて記憶されている接触回数Ｔｎが読み出される。そして、読み出された接触回数Ｔｎに、Ｓ４１８で検出された接触回数、すなわち「１」が加算される。加算された接触回数Ｔｎは特定された識別情報に対応付けて接触回数メモリ１４２に記憶される。
【００７１】
本実施形態において、加算された接触回数Ｔｎが特定された識別情報に対応付けて接触回数メモリ１４２に記憶されたときに、加算前に特定された識別情報に対応付けて接触回数メモリ１４２に記憶されていた接触回数Ｔｎが消去される。本実施形態において、複数の分割領域７１〜８２が入力媒体により同時に接触された場合、接触された複数の分割領域に対応する接触回数Ｔｎがそれぞれ「１」ずつ加算されることとする。
【００７２】
Ｓ４２４において、通常動作が実行され、ステップ処理はＳ４１８へ移行される。Ｓ４２４では、接触回数計測処理（図３参照）におけるＳ３０４と同様に、接触位置に対応する操作受付領域に関連付けられた処理がＲＯＭ１１から読み出されて実行される。
【００７３】
接触が検出された接触位置が有効領域のみでないと判断された場合（Ｓ４２０：ＮＯ）、Ｓ４１８で検出された電極の静電容量の変化量が所定値以下であるか否かが判断される（Ｓ４２６）。所定値とは、パラメータ記憶メモリ１４６に記憶されている指による接触であると判断される静電容量の変化量の閾値である。本実施形態において、Ｓ４１８で接触が検出された接触位置が有効領域と無効領域両方を含む場合は、ユーザによる無効領域の清掃中に誤って有効領域に接触した可能性が高いと考えられるため、Ｓ４２６で電極の静電容量の変化量が所定値以下であるか否かが判断される。電極の静電容量の変化量が所定値より大きいと判断された場合（Ｓ４２６：ＮＯ）、指による接触であると判断され、ステップ処理はＳ４２２へ移行される。
【００７４】
電極の静電容量の変化量が所定値以下であると判断された場合（Ｓ４２６：ＹＥＳ）、払拭部材による接触であると判断され、接触された無効領域に対応する表示面１６１に表示されている指紋画像３０が消去される（Ｓ４２８）。Ｓ４２８では、指紋フラグメモリ１４５において、指紋画像３０が消去される分割領域７１〜８２を特定する識別情報と対応付けて記憶されている指紋フラグがオフに変更される。Ｓ４２８において、指紋画像３０が消去される分割領域７１〜８２を特定する識別情報と対応付けて、接触回数メモリ１４２に記憶されている接触回数はリセットされて「０」になる。本実施形態において、Ｓ４２８では、払拭部材による接触が検出された無効領域は、ユーザによる払拭部材での清掃がなされて指による汚れが除去されたと判断され、払拭部材による接触が検出された無効領域に対応する表示面１６１に表示されている指紋画像３０が消去される。
【００７５】
本実施形態において、図２（Ｂ）に示す無効領域２００が払拭部材により清掃されたとする。この場合、Ｓ４１８で入力媒体による接触が検出され、入力媒体による接触が検出されてからその入力媒体が検出領域１７１から離れたことが検出されるまでに接触された検出領域は、無効領域２００であるので、Ｓ４２０において、接触位置は有効領域のみでないと判断される（Ｓ４２０：ＮＯ）。そして、無効領域２００は払拭部材により接触されたので、電極の静電容量の変化量が所定値以下であり（Ｓ４２６：ＹＥＳ）、図２（Ｃ）に示すように、無効領域２００に対応する表示面１６１に表示されている指紋画像３０が消去される（Ｓ４２８）。図２（Ｃ）に関する説明は後述する。
【００７６】
図４のＳ４３０において、Ｓ４１８で接触が検出された無効領域の分割領域数Ｍが算出される。Ｓ４３０では、Ｓ４２０でＲＡＭ１２に記憶された接触が検出された分割領域に基づいて、Ｓ４１８で接触が検出された無効領域を構成する分割領域数Ｍが算出される。本実施形態では、Ｓ４１８で無効領域２００の接触が検出されたので、Ｓ４３０で算出される接触された無効領域の分割領域数Ｍは「８」である。
【００７７】
Ｓ４３２において、Ｓ４１０で算出された有効領域サイズに対するボタン表示領域サイズの不足分を満たす分割領域数Ｎが０以下であるか否かが判断される。分割領域数Ｎが０より大きいと判断された場合（Ｓ４３２：ＮＯ）、Ｓ４１８で接触が検出された無効領域が有効領域に変更される（Ｓ４３４）。領域分割メモリ１４４において、Ｓ４３４で有効領域に変更された分割領域を特定する識別情報に対応付けて、分割領域が有効領域であるという有効情報が記憶される。なお、Ｓ４０４でこの分割領域を特定する識別情報に対応付けて記憶されていた無効情報は消去される。本実施形態では、Ｓ４２８において、指紋画像３０が消去された分割領域７１〜８２を特定する識別情報と対応付けて、接触回数メモリ１４２に記憶されている接触回数がリセットされたが、Ｓ４３４で、指紋画像３０が消去された分割領域、すなわち、有効領域に変更された分割領域７１〜８２を特定する識別情報と対応付けて、接触回数メモリ１４２に記憶されている接触回数がリセットされてもよい。
【００７８】
Ｓ４３６において、Ｓ４１２で有効領域に変更された分割領域が無効領域に変更される。領域分割メモリ１４４において、Ｓ４３６で無効領域に変更された分割領域を特定する識別情報に対応付けて、分割領域が無効領域であるという無効情報が記憶される。なお、Ｓ４１２でこの分割領域を特定する識別情報に対応付けて記憶されていた有効情報、および、ボタン表示領域サイズの不足により無効領域から有効領域に変更されたことを示す情報は消去される。Ｓ４３６において、Ｓ４１０で算出された分割領域数ＮがＳ４３０で算出された分割領域数Ｍより大きい場合は、Ｓ４１２で有効領域に変更された分割領域のうち、接触回数Ｔｎが多い順にＮ番目までの分割領域が無効領域に変更される。
【００７９】
本実施形態において、Ｓ４１０で算出された有効領域サイズに対するボタン表示領域サイズの不足分を満たす分割領域数Ｎは「１」であり（Ｓ４３２：ＮＯ）、無効領域２００を構成する分割領域７４〜７６及び分割領域７８〜８２が有効領域に変更される（Ｓ４３４）。そして、Ｓ４１２で有効領域に変更された分割領域７３が無効領域に変更される（Ｓ４３６）。
【００８０】
有効領域サイズに対するボタン表示領域サイズの不足分を満たす分割領域数Ｎが、Ｓ４１０で算出された有効領域サイズに対するボタン表示領域サイズの不足分を満たす分割領域数Ｎから、Ｓ４３０で算出された接触された無効領域の分割領域数Ｍが減算された値に変更され（Ｓ４３８）、ステップ処理はＳ４１４へ移行される。
【００８１】
図２（Ｃ）は、Ｓ４３８の処理が実行された後、ステップ処理がＳ４１４へ移行され、Ｓ４１４及びＳ４１６の処理が実行されたときの表示面１６１の表示例である。本実施形態では、Ｓ４１８〜Ｓ４２６で無効領域２００が払拭部材による接触が検出されたので、図２（Ｃ）に示すように、図２（Ｂ）で無効領域２００に対応する表示面１６１に表示されていた指紋画像３０が消去されている（Ｓ４２８）。接触が検出された無効領域２００を構成する分割領域７４〜７６及び分割領域７８〜８２が有効領域に変更され（Ｓ４３４）、Ｓ４１２で有効領域に変更された分割領域７３が無効領域に変更されている（Ｓ４３６）。
【００８２】
本実施形態において、Ｓ４３８で分割領域数ＮはＳ４１０で算出された分割領域数Ｎである「１」からＳ４３０で算出された分割領域数Ｍである「８」を減算した値、すなわち「−７」となる。そして、ステップ処理はＳ４１４へ移行され、有効領域である分割領域７１〜７２及び分割領域７４〜８２に入力ボタンが表示される（Ｓ４１４）。
【００８３】
本実施形態において、図２（Ｃ）に示すように、コピーボタン３１が分割領域７１、スキャンボタン３２が分割領域７２、ＦＡＸボタン３３が分割領域８１、プリントボタン３４が分割領域７７、に対応する表示面１６１にそれぞれ表示される。そして、表示面１６１に表示されたコピーボタン３１、スキャンボタン３２、ＦＡＸボタン３３、及び、プリントボタン３４各々に対応付けて、操作受付領域が設定される。すなわち、本実施形態では、分割領域７３が無効領域に変更されたため、図２（Ｂ）で分割領域７３に表示されていたＦＡＸボタン３３が、図２（Ｃ）において、有効領域に変更された分割領域８１に対応する表示面１６１に表示される。そして、ＦＡＸボタン３３に対応付けて分割領域８１に操作受付領域が設定される。そして、図２（Ｃ）に示すように、無効領域である分割領域７３に対応する表示面１６１に指紋画像３０が表示される（Ｓ４１６）。
【００８４】
図４のＳ４３２の判断の結果、Ｓ４１０で算出された有効領域サイズに対するボタン表示領域サイズの不足分を満たす分割領域数Ｎが０以下であると判断された場合（Ｓ４３２：ＹＥＳ）、表示面１６１に指紋画像３０が表示されているか否かが判断される（Ｓ４３９）。具体的には、分割領域７１〜８２を特定する識別情報と対応付けて指紋フラグメモリ１４５に記憶されている指紋フラグがオンであるものがあるか否かが判断される。表示面１６１に指紋画像３０が表示されていると判断された場合（Ｓ４３９：ＹＥＳ）、ステップ処理はＳ４１８へ移行される。
【００８５】
表示面１６１に指紋画像３０が表示されていないと判断された場合（Ｓ４３９：ＮＯ）、全検出領域１７１が無効領域とされる（Ｓ４４０）。Ｓ４４０では、検出領域１７１の全域、すなわち、分割領域７１〜８２全てが無効領域とされる。
【００８６】
Ｓ４４２において、バックライト装置に供給される電流が所定時間オフされる。Ｓ４４２の処理は、バックライト装置に供給される電流が所定時間オフされることにより表示面１６１が暗くなるため、タッチパネル１７における指紋の汚れを目立ち易くするものである。
【００８７】
バックライト装置に供給される電流が所定時間オフされた後、通常モードへ移行され（Ｓ４４４）、本処理が終了される。Ｓ４４４では、バックライト装置に供給される電流がオンされ、表示面１６１は、清掃モードボタン３５に対応する操作受付領域の接触が検出されて清掃制御処理が実行される前に表示されていた状態（図２（Ａ）参照）に戻る。
【００８８】
本実施形態では、図２（Ｃ）において、分割領域７３が払拭部材により清掃されたとする。図２（Ｂ）に示す無効領域２００が払拭部材により清掃された場合と同様に、Ｓ４１８〜Ｓ４２６により分割領域７３が払拭部材による接触が検出され分割領域７３に対応する表示面１６１に表示されていた指紋画像３０が消去される（Ｓ４２８）。接触された分割領域は分割領域７３だけであるので、分割領域数Ｍは「１」となる（Ｓ４３０）。Ｓ４３８で算出された分割領域数Ｎは「−７」であるため、Ｎは０以下と判断される（Ｓ４３２：ＹＥＳ）。表示されていた指紋画像３０はＳ４２８の処理で消去されたため表示面１６１に指紋画像３０は表示されていないので（Ｓ４３９：ＮＯ）、分割領域７１〜８２全てが無効領域とされる（Ｓ４４０）。そして、図２（Ｄ）に示すように、バックライト装置に供給される電流がオフされて、表示面１６１は暗くなる（Ｓ４４２）。そして、Ｓ４４４において、清掃モードから通常モードへ移行され、表示面１６１は図２（Ａ）に示すようになる。
【００８９】
以上説明したように、本実施形態によれば、入力媒体により接触された接触位置が記憶され、検出領域１７１が、汚れていないまたは汚れが少ないと判断される分割領域がその分割領域に関連付けられた処理を実行する有効領域と、汚れていると判断される分割領域が入力媒体により接触された場合にその分割領域に関連付けられた処理の実行を禁止する無効領域と、に分割される（図４に示すＳ４０４〜Ｓ４０６参照）。そして、図２（Ｂ）に示すように、有効領域に対応する表示面１６１に入力ボタン３１〜３４が表示され、無効領域に対応する表示面１６１に無効領域を示す指紋画像３０が表示される。操作受付領域に関連付けられた処理の実行が禁止される無効領域はユーザが清掃中であっても誤動作を防止することができるので、ユーザは無効領域を清掃するのが好適である。したがって、指紋画像３０を表示させて無効領域をユーザに認識させることができるので、ユーザによるタッチパネル１７の清掃が容易になる。また、ユーザによるタッチパネル１７の清掃中においても、入力領域が設けられているのでタッチパネル１７の入力操作が可能となる。
【００９０】
無効領域内の操作受付領域に対応する入力ボタン３１〜３４が有効領域に対応する表示面１６１に表示され、表示面１６１に表示された入力ボタン１６１に対応付けて、操作受付領域が設定される（図４に示すＳ４１４参照）。具体的に、図２（Ａ）において、分割領域７９〜８２各々に表示されていた入力ボタン３１〜３４が、図２（Ｂ）に示すように、有効領域である分割領域７１〜７３及び分割領域７７に表示される。そして、表示面１６１に表示された入力ボタン３１〜３４各々に対応付けて、操作受付領域が設定される。これにより、ユーザによるタッチパネル１７の清掃中であっても、表示面１６１に表示されるより多くの入力ボタン３１〜３４に対応する操作受付領域に関連付けられた処理を実行することができる。
【００９１】
接触回数Ｔｎが所定数Ｔ０以上の分割領域が無効領域とされ（図４に示すＳ４０４参照）、接触回数Ｔｎが所定数Ｔ０より小さい分割領域を有効領域として検出領域が分割される（図４に示すＳ４０６参照）。無効領域内の操作受付領域に対応する入力ボタン３１〜３４が有効領域に対応する表示面１６１で表示できない場合、複数の無効領域のうち接触回数Ｔｎが少ない分割領域が、有効領域として変更される（図４に示すＳ４０８〜Ｓ４１２参照）。そして、検出領域１７１のうち有効領域として分割された分割領域と、有効領域として変更された分割領域と、に対応する表示面１６１に入力ボタン３１〜３４が表示される。
【００９２】
具体的には、図２（Ｂ）において、接触回数に基づいて分割された有効領域である分割領域７１〜７２及び分割領域７７に対応する表示面１６１に、入力ボタン３１〜３４全てを表示させることができないので、無効領域である分割領域７３〜７６及び分割領域７８〜８２のうち接触回数Ｔｎが少ない分割領域７３が有効領域として変更される。そして、分割領域７１〜７３及び分割領域７７に対応する表示面１６１に入力ボタン３１〜３４が表示される。これにより、接触回数Ｔｎが所定数Ｔ０以上の分割領域が多い場合であっても、表示面１６１に表示されるより多くの入力ボタン３１〜３４に対応する操作受付領域に関連付けられた処理を確実に実行することができる。
【００９３】
無効領域とされた分割領域が入力媒体により接触された後に入力媒体が検出領域から離れたと判断された場合（図４に示すＳ４１８参照）、入力媒体が無効領域に接触されてから離れるまでに入力媒体により接触された分割領域が有効領域に変更される（図４に示すＳ４３４参照）。また、無効領域とされた分割領域に対応する表示面１６１に表示された無効領域を示す指紋画像３０が消去される（図４に示すＳ４２８参照）。無効領域とされた分割領域が入力媒体により接触される場合は、その分割領域がユーザの払拭動作などにより清掃されたために接触された可能性が高い。したがって、無効領域とされた分割領域が入力媒体により接触された後に入力媒体が検出領域から離れた場合、すなわち、ユーザによる分割領域の清掃が完了された場合、ユーザによる清掃完了した分割領域が有効領域に変更されるので、ユーザは入力操作を効率良く行うことができる。
【００９４】
接触された分割領域が有効領域に変更された場合（図４に示すＳ４３４参照）、有効領域に変更されていた分割領域が無効領域に変更される（図４に示すＳ４３６参照）。そして、その無効領域に変更された分割領域に対応する表示面１６１に無効領域を示す指紋画像３０が表示される（図４に示すＳ４１６）。また、検出領域のうち有効領域として分割された分割領域と、有効領域に変更された分割領域と、に対応する表示面１６１に入力ボタン３１〜３４が表示される（図４に示すＳ４１４）。
【００９５】
具体的には、有効領域に変更された分割領域７３が無効領域に変更され、図２（Ｃ）に示すように、分割領域７３に対応する表示面１６１に指紋画像３０が表示される。また、有効領域である分割領域７１〜７２及び分割領域７４〜８２に対応する表示面１６１に入力ボタン３１〜３４が表示される。これにより、表示面１６１に表示されるより多くの入力ボタン３１〜３４に対応する操作受付領域に関連付けられた処理を確実に実行することができる。また、入力媒体の接触により汚れた領域についてユーザによる清掃を確実に行うことができる。
【００９６】
無効領域内の操作受付領域に対応する入力ボタン３１〜３４が有効領域に対応する表示面１６１で表示できない場合に有効領域に変更された分割領域のうち接触回数Ｔｎが多い分割領域が、無効領域に変更される。これにより、入力媒体の接触による汚れが顕著な領域から優先して無効領域に変更されるため、ユーザによる清掃をより効率良く行うことができる。
【００９７】
無効領域とされた分割領域において入力媒体の接触により変化した静電容量が所定値より小さい場合（図４に示すＳ４２６参照）、その入力媒体が無効領域に接触されてから離れるまでにその入力媒体により接触された分割領域が有効領域に変更される（図４に示すＳ４３４参照）。一般に、布などの払拭部材の接触により変化した静電容量は、指の接触により変化した静電容量より小さいので、入力媒体の接触により変化した静電容量が所定値より小さい場合、その入力媒体は布などの払拭部材であると想到し得る。したがって、無効領域とされた分割領域において入力媒体の接触により変化した静電容量が所定値より小さい場合、すなわち、布などの払拭部材により接触された場合、その分割領域の清掃の完了と判断することにより、タッチパネル１７の分割領域における清掃の完了を確実に判断することができる。
【００９８】
無効領域とされた分割領域が入力媒体により接触された後に入力媒体が検出領域から離れた場合、図２（Ｄ）に示すように、ＬＣＤ１６に備えられたバックライト装置に供給される電流がオフされる（図４に示すＳ４４２参照）。これにより、表示面１６１が暗くなるためタッチパネル１７における指紋等の汚れが目立ち易くなり、タッチパネル１７の清掃が確実に完了したか否かをユーザに容易に判断させることができる。
【００９９】
［第２実施形態］
第１実施形態では、清掃モードにおいて、接触回数Ｔｎに基づいて分割された有効領域に入力ボタン３１〜３４が全て表示できない場合、接触回数Ｔｎに基づいて無効領域とされた分割領域のうち、接触回数Ｔｎの少ないものが有効領域に変更されていた。第２実施形態では、清掃モードにおいて、接触回数Ｔｎに基づいて分割された有効領域に入力ボタン３１〜３４が全て表示できない場合、その有効領域に全ての入力ボタン３１〜３４が表示できるように入力ボタン３１〜３４の大きさが縮小される場合について説明する。なお、以下の説明では、第１実施形態と異なる構成及び動作についてのみ説明し、第１実施形態と同様の構成及び動作については、詳細な説明を省略する。
【０１００】
＜電気的構成＞
第２実施形態に係るＭＦＰ１の電気的構成は、第１実施形態と同一であるため、詳細な説明は省略する。ただし、第２実施形態では、ＣＰＵ１０は、ＲＯＭ１１に格納されている制御プログラム１１１に従い、図３のフローチャートに示す接触回数計測処理、及び、図６のフローチャートに示す清掃制御処理を実行する。
【０１０１】
＜実施形態の動作＞
次に、第２実施形態におけるＭＦＰ１の動作について、図３、図５、及び、図６を参照して詳細に説明する。
【０１０２】
（接触回数計測処理）
第２実施形態に係る接触回数計測処理は、第１実施形態と同様にして、図３に示すフローチャートに従って実行されるため、詳細な説明を省略する。
【０１０３】
（清掃制御処理）
次に、ＭＦＰ１のＣＰＵ１０により実行される清掃制御処理について、図５及び図６を参照して説明する。
【０１０４】
この清掃制御処理は、ＣＰＵ１０により清掃モードボタン３５に対応する操作受付領域の接触が検出された場合に実行される処理である。ＣＰＵ１０により清掃モードボタン３５に対応する操作受付領域の接触が検出された場合に、ＭＦＰ１は清掃モードへ移行される。入力ボタン３１〜３５各々の大きさは、分割領域１個に入力ボタン１個が表示可能な大きさとし、各入力ボタン３１〜３５は、分割領域７１〜８２のうち所定の１個の分割領域に表示される。図５（Ａ）は、ＣＰＵ１０による清掃モードボタン３５に対応する操作受付領域の接触が検出されたときの表示面１６１の表示例である。本実施形態において、清掃モードボタン３５に対応する操作受付領域の接触が検出された場合とは、図５（Ａ）に示すように、ユーザの指により清掃モードボタン３５が押下された場合である。清掃制御処理が実行される前に表示面１６１に表示されている入力ボタンの配置など（図５（Ａ）参照）は、フラッシュメモリ１４に記憶される。
【０１０５】
図６に示すＳ６００において、ボタン表示領域サイズが取得される。ボタン表示領域サイズとは、清掃モードボタン３５に対応する操作受付領域の接触が検出されたときに、表示面１６１において、表示されている入力ボタン３１〜３５のうち、清掃モードボタン３５を除いた入力ボタン３１〜３４が占める領域の大きさである。具体的に、本実施形態では、ボタン表示領域サイズは、入力ボタン３１〜３４各々の縦及び横方向の長さに基づいて算出される入力ボタン３１〜３４の大きさの総和である。本実施形態において、ボタン表示領域サイズは、ＣＰＵ１０によりＳ４００の処理のたびに毎回算出されてもよいし、予め各画面表示におけるボタン表示領域サイズがＲＯＭ１１に記憶され、ＣＰＵ１０によりＲＯＭ１１から読み出されてもよい。
【０１０６】
本実施形態において、図６に示すＳ６０２〜Ｓ６０６の処理は、第１実施形態におけるＳ４０２〜Ｓ４０６の処理（図４参照）と同様であるため、詳細な説明を省略する。
【０１０７】
図６に示すＳ６０６において、有効領域サイズがボタン表示領域サイズ以上であるか否かが判断される。有効領域サイズとは、Ｓ６０６で有効領域とされた分割領域の大きさの総和である。具体的に、本実施形態では、有効領域サイズは、連続している有効領域ごとの縦及び横方向の長さに基づいて算出される有効領域の大きさの総和である。有効領域サイズは、Ｓ６０８では、有効領域サイズが算出され、算出された有効領域サイズがＳ６００で取得されたボタン表示領域サイズ以上か否かが判断される。判断の結果、有効領域サイズがボタン表示領域サイズ以上であると判断された場合（Ｓ６０８：ＹＥＳ）、ステップ処理はＳ６１２へ移行される。
【０１０８】
有効領域サイズがボタン表示領域サイズより小さいと判断された場合（Ｓ６０８：ＮＯ）、Ｓ６０６で有効領域とされた有効領域サイズに合わせて入力ボタン３１〜３４の大きさが縮小される（Ｓ６１０）。Ｓ６１０において、入力ボタン３１〜３４の縮小率は、有効領域に対応する表示面１６１に全ての入力ボタン３１〜３４が表示可能な大きさに相当する縮小率であればよい。しかしながら、有効領域に対応する表示面１６１に全ての入力ボタン３１〜３４が表示可能な大きさのうち、入力ボタン３１〜３４が出来るだけ大きく表示される方が、入力ボタン３１〜３４に対するユーザの入力操作が容易となるため、好適である。
【０１０９】
本実施形態において、全ての入力ボタン３１〜３４は同じ縮小率で縮小されなくてよいし、全ての入力ボタン３１〜３４が縮小されなくてもよい。例えば、図５（Ｂ）に示すように、コピーボタン３１、スキャンボタン３２、及び、ＦＡＸボタン３３が縮小され、プリントボタン３４は縮小されずに表示されていてもよい。
【０１１０】
本実施形態において、図６に示すＳ６１２〜Ｓ６２４の処理は、第１実施形態におけるＳ４１４〜Ｓ４２６の処理（図４参照）と同様であるため、詳細な説明を省略する。
【０１１１】
本実施形態において、第１実施形態と同様に、Ｓ６００でボタン表示サイズとして、コピーモードボタン３１、スキャンモードボタン３２、ＦＡＸモードボタン３３、及び、プリントモードボタン３４各々の大きさの総和が取得される。そして、第１実施形態と同様に、Ｓ６０２〜Ｓ６０６において、分割領域７３〜７６及び分割領域７８〜８２が無効領域とされ、分割領域７１〜７２及び分割領域７７が有効領域として分割されることとする。
【０１１２】
図５（Ｂ）は、Ｓ６１４の処理が実行されたときの表示面１６１の表示例である。本実施形態において、有効領域サイズである分割領域７１〜７２及び分割領域７７の大きさの総和は、ボタン表示領域サイズより小さいので（Ｓ６０８：ＮＯ）、有効領域サイズに合わせて入力ボタン３１〜３４が縮小される（Ｓ６１０）。そして、縮小された入力領域３１〜３４が有効領域である分割領域７１〜７２及び分割領域７７に対応する表示面１６１に表示され、表示面１６１に表示された入力ボタン３１〜３４各々に対応付けて、操作受付領域が設定される（Ｓ６１２）。
【０１１３】
例えば、図５（Ｂ）に示すように、コピーボタン３１、スキャンボタン３２、及び、ＦＡＸボタン３３が、有効領域とされた分割領域７１〜７２に対応する表示面１６１に表示できるように縮小されて表示され、プリントボタン３４は縮小されずに分割領域７７に対応する表示面１６１に表示される。図５（Ｂ）に示すように、無効領域とされた分割領域７３〜７６及び分割領域７８〜８２各々に対応する表示面１６１に指紋画像３０が表示される。図５（Ｂ）において、無効領域とされた分割領域７３〜７６及び分割領域７８〜８２はまとめて無効領域５００とし、太い破線で示す。また、図５（Ｂ）において、斜線で示された楕円形は指紋画像３０である。
【０１１４】
図６に示すＳ６２４の判断の結果、タッチパネル１７の電極の静電容量の変化量が所定値以下であると判断された場合（Ｓ６２４：ＹＥＳ）、払拭部材による接触であると判断され、接触された無効領域に対応する表示面１６１に表示されている指紋画像３０が消去される（Ｓ６２６）。Ｓ６２６では、指紋フラグメモリ１４５において、指紋画像３０が消去される分割領域７１〜８２を特定する識別情報と対応付けて記憶されている指紋フラグがオフに変更される。Ｓ６２６において、指紋画像３０が消去される分割領域７１〜８２を特定する識別情報と対応付けて、接触回数メモリ１４２に記憶されている接触回数はリセットされて「０」になる。本実施形態において、Ｓ６２６では、接触された無効領域を構成する分割領域が有効領域に変更され、接触された無効領域に対応する表示面１６１に表示されている指紋画像３０が消去されてもよい。
【０１１５】
Ｓ６２８において、表示面１６１に指紋画像３０が表示されているか否かが判断される。具体的には、分割領域７１〜８２を特定する識別情報と対応付けて指紋フラグメモリ１４５に記憶されている指紋フラグがオンであるものがあるか否かが判断される。表示面１６１に指紋画像３０が表示されていると判断された場合（Ｓ６２８：ＹＥＳ）、ステップ処理はＳ６１６へ移行される。表示面１６１に指紋画像３０が表示されていないと判断された場合（Ｓ６２８：ＮＯ）、ステップ処理はＳ６３０へ移行される。
【０１１６】
本実施形態において、図６に示すＳ６３０〜Ｓ６３４の処理は、第１実施形態におけるＳ４４０〜Ｓ４４４の処理（図４参照）と同様であるため、詳細な説明を省略する。
【０１１７】
本実施形態において、第１実施形態と同様に、図５（Ｂ）に示す無効領域５００が払拭部材により清掃されたとする。この場合、Ｓ６１６で入力媒体による接触が検出される。この入力媒体による接触が検出されてからその入力媒体が検出領域１７１から離れたことが検出されるまでに接触された検出領域は、無効領域５００であるので、Ｓ６１８において、接触位置は有効領域のみでないと判断される（Ｓ６１８：ＮＯ）。そして、無効領域５００は払拭部材により接触されたので、電極の静電容量の変化量が所定値以下であり（Ｓ６２４：ＹＥＳ）、図５（Ｃ）に示すように、無効領域５００に対応する表示面１６１に表示されている指紋画像３０が消去される（Ｓ６２６）。図５（Ｃ）は、Ｓ６２６の処理が実行されたときの表示面１６１の表示例である。
【０１１８】
図５（Ｃ）に示すように、本実施形態において、表示面１６１に指紋画像３０は表示されていないので（Ｓ６２８：ＮＯ）、分割領域７１〜８２全てが無効領域とされる（Ｓ６３０）。そして、図５（Ｄ）に示すように、バックライト装置に供給される電流がオフされて、表示面１６１は暗くなる（Ｓ６３２）。Ｓ６３４において、清掃モードから通常モードへ移行されて、バックライト装置に供給される電流がオンされ、表示面１６１は図５（Ａ）に示すようになる。
【０１１９】
本実施形態においても、第１実施形態と同様の効果を奏することができる。また、本実施形態においては、無効領域内の操作受付領域に対応する入力ボタン３１〜３４が有効領域に対応する表示面１６１で表示できない場合、入力ボタン３１〜３４が有効領域に対応する表示面１６１に表示可能な大きさに縮小される（図６に示すＳ６１０参照）。そして、図５（Ｂ）に示すように、縮小された入力ボタン３１〜３４が有効領域に対応する表示面１６１に表示される（図６に示すＳ６１２参照）。これにより、接触回数Ｔｎが所定数Ｔ０以上の分割領域が多い場合であっても、表示面１６１に表示されるより多くの入力ボタン３１〜３４に対応する操作受付領域に関連付けられた処理を確実に実行することができる。
【０１２０】
［変形例］
以上、本発明の一実施形態について説明したが、本発明は上記実施形態に限定されるものではなく、本発明の要旨を逸脱しない範囲内で種々の態様を採ることができる。
【０１２１】
第１及び第２実施形態では、本発明の入力装置及び入力制御プログラムとしてＭＦＰ１を例にとって説明した。しかしながら、本発明はこれに限定されるものではなく、タッチパネルを有するものであれば種々の態様を採用することができる。
【０１２２】
第１及び第２実施形態において、ユーザが清掃するタッチパネルの汚れをユーザの指の接触によるものとしていたが、本発明はこれに限定されるものではなく、例えばタッチペンなど、種々の入力媒体を採用することができる。一般に、布などの払拭部材の接触による静電容量の変化量は、タッチペンなどの接触による静電容量の変化量より小さい。したがって、入力媒体がタッチペンなどの場合においても、第１及び第２実施形態と同様に、検出された静電容量の変化量が、パラメータ記憶メモリ１４６に記憶される変化量の閾値以上であれば、タッチペンなどによる接触であると判断され、一方、検出された静電容量の変化量が、変化量の閾値より小さければ、払拭部材による接触であると判断されるように制御すればよい。
【０１２３】
第１及び第２実施形態において、表示面１６１に表示されている全ての入力ボタン３１〜３４が有効領域に表示されていたが（図４に示すＳ４１４または図６に示すＳ６１２参照）、少なくとも１つの入力ボタンが有効領域に表示されればよい。例えば、操作の可否を入力するための入力ボタンなど、使用頻度が高い入力ボタンまたは重要操作に関する入力ボタンのみを有効領域に表示させてもよい。
【０１２４】
第１実施形態では、図４のＳ４１４において、入力ボタン３１〜３４各々が有効領域とされた分割領域７１〜７３及び分割領域７７各々に対応する表示面１６１に任意に表示されている。しかしながら、本発明はこれに限定されるものではなく、例えば、操作の可否を入力するための入力ボタンなど、使用頻度が高い入力ボタンまたは重要操作に関する入力ボタンが、有効領域のうち接触回数Ｔｎが少ない分割領域に対応する表示面１６１に表示されてもよい。使用頻度が高い入力ボタンまたは重要操作に関する入力ボタンが、有効領域のうち接触回数Ｔｎが少ない分割領域に表示されることにより、その分割領域に対応する表示面１６１は汚れが少ないので、ユーザは、入力ボタンが見易くなり、入力操作が容易になる。
【０１２５】
第２実施形態においても、図６のＳ６１０及びＳ６１２では、入力ボタン３１〜３４のうち任意の入力ボタンが縮小され、入力ボタン３１〜３４各々が有効領域とされた分割領域７１〜７３及び分割領域７７各々に対応する表示面１６１に任意に表示されている。しかしながら、本発明はこれに限定されるものではなく、例えば、操作の可否を入力するための入力ボタンなど、使用頻度が高い入力ボタンまたは重要操作に関する入力ボタンは、縮小率が最も小さくされてもよいし、有効領域のうち接触回数Ｔｎが少ない分割領域に対応する表示面表示されてもよい。
【０１２６】
使用頻度が高い入力ボタンまたは重要操作に関する入力ボタンの縮小率が最も小さくなるので、すなわち、使用頻度が高い入力ボタンまたは重要操作に関する入力ボタンが最も大きく表示される。また、使用頻度が高い入力ボタンまたは重要操作に関する入力ボタンが、有効領域のうち接触回数Ｔｎが少ない分割領域に対応する表示面１６１、すなわち、表示面１６１のうち汚れが少ない領域に表示される。これらにより、ユーザは、入力ボタンが見易くなり、入力操作が容易になる。
【０１２７】
第１及び第２実施形態において、無効領域には人の指紋を示す指紋画像３０（図２及び図５参照）が表示されているが、本発明はこれに限定されるものではなく、無効領域であることを示すものであれば、例えば、無効領域における表示色を有効領域と異なる色で表示する、キャラクタを表示させるなど、種々の態様を採用することができる。
【０１２８】
第１及び第２実施形態において、清掃制御処理（図４及び図６参照）は、ユーザの指により清掃モードボタン３５が押下されることによって、ＣＰＵ１０により清掃モードボタン３５に対応する操作受付領域の接触が検出された場合に実行される。しかしながら、本発明はこれに限定されるものではなく、例えば、清掃モードボタン３５が操作キー１５に設けられていており、操作キー１５に設けられた清掃モードボタン３５の押下により清掃制御処理が実行されてもよい。また、接触回数メモリ１４２に基づいて、分割領域７１〜８２のうち、接触回数Ｔｎが所定回数を越えた分割領域が検出された場合に、ユーザが操作することなく、自動的に清掃モードへ移行されて清掃制御処理が実行されてもよい。
【０１２９】
第１及び第２実施形態では、分割領域７１〜８２の座標情報及び大きさ、分割領域７１〜８２における接触回数Ｔｎ、分割領域が無効領域または有効領域であることを示す無効情報または有効情報、及び、指紋画像が表示されているか否かを示す指紋フラグは、分割領域７１〜８２を特定する識別情報に対応付けて、領域座標メモリ１４１、接触回数メモリ１４２、領域分割メモリ１４４、及び、指紋フラグメモリ１４５にそれぞれ記憶されている。しかしながら、例えば、分割領域７１〜８２を特定する識別情報に対応付けて、分割領域７１〜８２の座標情報及び大きさ、分割領域７１〜８２における接触回数Ｔｎ、分割領域の無効情報または有効情報、及び、指紋フラグが示された１つのテーブルがフラッシュメモリ１４に記憶されていてもよい。
【０１３０】
なお、図４及び図６のフローチャートにおいて、Ｓ４０４、Ｓ４０６、Ｓ６０４、及び、Ｓ６０８は本発明の領域分割手段、Ｓ４０８及びＳ６０８は本発明の表示判断手段、Ｓ４１２は本発明の第１変更手段、Ｓ４１４、Ｓ４１６、Ｓ６１２、及び、Ｓ６１４は本発明の領域表示手段、Ｓ４１４及びＳ６１２は本発明の位置変更手段、Ｓ４１４は本発明の表示制御手段に相当する。また、図４及び図６のフローチャートにおいて、Ｓ４１８は接触判断手段、Ｓ４２６は静電容量変更手段、Ｓ４２８は表示変更手段、Ｓ４３４は第２変更手段、Ｓ４３６は第３変更手段、Ｓ４４２は電源切替手段、Ｓ６１０は縮小手段に相当する。
【符号の説明】
【０１３１】
１                  ＭＦＰ
１０                  ＣＰＵ
１１                  ＲＯＭ
１２                  ＲＡＭ
１４                  フラッシュメモリ
１６                  ＬＣＤ
１７                  タッチパネル
３０                  指紋画像
３１                  コピーボタン
３２                  スキャンボタン
３３                  ＦＡＸボタン
３４                  プリントボタン
３５                  清掃モードボタン
７１〜８２            分割領域
１４１                領域座標メモリ
１４２                接触回数メモリ
１４３                清掃モードフラグメモリ
１４４                領域分割メモリ
１４５                指紋フラグメモリ
１４６                パラメータ記憶メモリ
１６１                表示面
１７１                検出領域
２００、５００        無効領域
【図１】
2011158970.tif 000003
【図２】
2011158970.tif 000004
【図３】
2011158970.tif 000005
【図４】
2011158970.tif 000006
【図５】
2011158970.tif 000007
【図６】
2011158970.tif 000008